(57)【特許請求の範囲】
【請求項１】
袋を囲繞することができるストラップ（ｓｔｒａｐ）を有し、前記ストラップを曲げてループ状となし、永久接続部によりこのループを閉鎖するようにした、袋を閉鎖するための閉じ具において、前記ストラップは、内側部および外側部を有し、前記内側部および外側部は、設計破断線によって互いに対して定められ、前記永久接続部により接続され、前記設計破断線で切り取ることにより前記ループを開放すること、および、前記外側部の外側へ前記内側部を折り返すことができ、前記内側部の長さは、前記内側部が切り取られかつ外側に折り曲げられた状態において、前記ストラップの端部を超えて突出するように選択されており、前記内側部を、前記外側部に形成された開口に挿入して前記内側部と前記外側部の間に解除可能な接続を生じさせることができるようにしたことを特徴とする閉じ具。
【請求項２】
前記ストラップは、前記内側部を外側へ折り曲げた状態で、少なくとも部分的に前記内側部によって形成された舌状部であって、前記外側部に形成された前記開口に挿入できるようにした舌状部を有し、前記舌状部は、前記外側部の前記開口に前記舌状部を形状ロックにより係止するための凹部および突起のうちの少なくとも一方よりなる係止部を有する請求項１に記載の閉じ具。
【請求項３】
前記係止部は、少なくとも部分的に前記内側部によって形成される請求項２に記載の閉じ具。
【請求項４】
前記係止部は、少なくとも部分的に前記外側部によって形成される請求項２又は３に記載の閉じ具。
【請求項５】
前記ストラップは外面側および内面側を有し、前記内面側は２つの接続領域を有し、前記接続領域は互いに接続されて、前記永久接続部を形成することを特徴とする請求項１乃至４のいずれかに記載の閉じ具。
【請求項６】
前記ストラップは外面側および内面側を有し、前記内面側は接続領域を有し、前記外面側はさらなる接続領域を有し、前記接続領域は互いに接続されて前記永久接続部を形成する請求項１乃至４のいずれかに記載の閉じ具。
【請求項７】
前記外側部は、ラベル又はラベル受容部となる突出領域を有することを特徴とする請求項１乃至６のいずれかに記載の閉じ具。
【請求項８】
前記ストラップは、外面側と内面側を有し、前記外面側に文字を配置した請求項１乃至７のいずれかに記載の閉じ具。
【請求項９】
前記ストラップは、前記外側部に、長手方向に延在する少なくとも１つの補強リブを有する請求項１乃至８のいずれかに記載の閉じ具。
【請求項１０】
前記ストラップは、横断方向に延在する少なくとも１本の設計折曲線を有し、前記設計折曲線を、前記内側部の少なくとも一部に設けた請求項１乃至９のいずれかに記載の閉じ具。
【請求項１１】
前記設計折曲線は、スロットとして設計されるか又は前記設計破断線の一部として設計される請求項１０に記載の閉じ具。
【請求項１２】
前記永久接続部は、前記ストラップの接続領域間の溶着による接続である請求項１乃至１１のいずれかに記載の閉じ具。
【請求項１３】
前記永久接続部は、前記ストラップの接続領域間の接着剤接合による接続である請求項１乃至１２のいずれかに記載の閉じ具。
【請求項１４】
前記永久接続部は、前記ストラップの接続領域間の機械的接続である請求項１乃至１３のいずれかに記載の閉じ具。
【請求項１５】
前記永久接続部は、前記ストラップの一方の端部に設けられる請求項１乃至１４のいずれかに記載の閉じ具。
【請求項１６】
前記内側部は、細長い設計であり、複数個のウェブを介して前記外側部に連結される請求項１乃至１５のいずれかに記載の閉じ具。
【請求項１７】
前記ストラップの前記外側部は、前記内側部が切り取られかつ外側に折り曲げられた位置に開口を有する請求項１乃至１６のいずれかに記載の閉じ具。
【請求項１８】
前記ストラップは、その長手方向に対して横断する方向に延在する対称線に関して対称的に設計される請求項１乃至１７のいずれかに記載の閉じ具。
【請求項１９】
前記永久接続部は解除不能な接続部である請求項１乃至１８のいずれかに記載の閉じ具。
【発明の詳細な説明】
【０００１】
【発明の属する技術分野】
本発明は、袋を閉鎖するための閉じ具に関し、特に、袋を囲繞することができるストラップ（ｓｔｒａｐ）を有し、このストラップを折り曲げてループ状となし、永久的な接続によりこのループを閉鎖するようにした閉じ具に関する。
【０００２】
【従来の技術】
このような閉じ具は、例えば、ドイツ特許公報ＤＥ４４１８８７７Ｃ２に開示されている。その閉じ具は、いったん開けてしまうと、再び閉じることは簡単には出来ず、また、その最初の開け方を理解することが困難である。
【０００３】
【発明が解決しようとする課題】
それ故に本発明の課題は、最初の開け方をよりよく理解することができ、再び閉じることが容易である、特に袋を閉鎖するための閉じ具を提供することである。
【０００４】
【課題を解決するための手段】
本発明によれば、袋を囲繞することができるストラップを有し、前記ストラップを曲げてループ状となし、永久接続部によりこのループを閉鎖するようにした、袋を閉鎖するための閉じ具において、前記ストラップは、内側部および外側部を有し、前記内側部および前記外側部は設計破断線によって互いに対して定められ、前記永久接続部により接続され、前記設計破断線で切り取ることにより前記ループを開放すること、および、前記外側部の外側へ前記内側部を折り曲げることができ、前記内側部の長さは、前記内側部が切り取られかつ外側に折り曲げられた状態において、前記ストラップの端部を超えて突出するように選択されており、前記内側部を、前記外側部に形成された開口に挿入して前記内側部と前記外側部の間に解除可能な接続を生じさせることができるように構成された閉じ具が得られる。
【０００５】
前記ストラップは、前記内側部を外側へ折り曲げた状態において、少なくとも部分的に前記内側部によって形成された舌状部であって、前記外側部に形成された開口に挿入できるようにした舌状部を有することが好ましい。好ましい態様によれば、この舌状部は、好ましくは、前記外側部の開口に形状ロック（form-locked）により係留される凹部および突起のうちの少なくとも一方よりなる係止部を有する。ここで、形状ロックとは、前記内側部および前記外側部のうちの少なくとも一方を変形させることによってのみ牽引力を加えてこの係留を解き、開放することができるという意味である。前記係止部は、好ましくは、少なくとも部分的に前記内側部および前記外側部のうちの少なくとも一方により形成される。
【０００６】
前記内側部を外側へ折り曲げた状態にあるとき、前記内側部をストラップの端部よりも突出させているので、前記ストラップをこれに対応して延長させることができ、その操作が容易になる。
【０００７】
【発明の実施の形態】
以下、本発明の実施の形態に係る幾つかの閉じ具について、図面を参照して詳細に説明する。
【０００８】
図１は、閉じるべき袋に取り付ける前の状態における閉じ具を示す。この閉じ具は、プラスチック材料からなる可撓性の帯状部材又はストラップ１を備えている。このストラップ１の幅は、たとえば、５〜１０ｍｍの範囲にあり、厚みは、たとえば１ｍｍ未満である。ストラップ１は、外側部２と内側部３とを有する。外側部２は、設計破断線４により内側部３に対して定められる。設計破断線４は、たとえば、目打ちとして実現することができる。この設計破断線４を介して、内側部３が複数個のウェブ２６によって外側部２に接続されている。内側部３を破断線４に沿って外側部２から切り取り、折り返すことができる。
【０００９】
ストラップ１は、２本の設計折曲線５および６を有する。これらの設計折曲線５および６を設けることにより、設計折曲線のない位置で曲げるよりも、これらの折曲線５および６の位置でより容易にストラップ１を折り曲げることができる。図１に示す実施例において、第１の設計折曲線は、内側部３内に設けられた横スロットにより形成される。第２の設計折曲線は、ストラップ１に直交して延在する設計破断線４の連続部により形成される。
【００１０】
ストラップ１を袋に取り付ける場合、ストラップを設計折曲線５と６の付近で折り曲げてＵ字形の状態とし、これを袋７にかぶせる。その後、ストラップ１により図２に示すようにループ８を形成する。続いて、接続領域９および１０において、外側部２と内側部３を接合して永久接続部２４となし、これにより、ストラップ１によって閉鎖ループ８が形成される。この永久接続部２４は、永久的な接着剤接合および／または溶着による接続により、あるいは、困難を伴ってのみ開けることができる機械的な形状ロック接続により、実現することができる。各接続領域９および１０は図１に破線によって示されている。接続領域９および１０は、好ましくは、ストラップ１の端部１５に設けられる。
【００１１】
閉じ具を最初に開けるために、図２に示すストラップ１の一方の端部１１を引張ると、内側部３が設計破断線４に沿って外側部２から切り取られる。これにより、図３に示すように、閉じ具が開いた状態となる。このとき、内側部３と外側部２は、永久接続部２４によって相互接続されているだけである。ここで、内側部３は、外側部の端部１５の一方とともに、ストラップ１を延長させる舌状部１２を形成する。２つの突起１３と２つの凹部１４が舌状部１２の基部に設けられ、これらの突起１３と凹部１４は外側部２の端部１５の一方により形成される。
【００１２】
開いた閉じ具を再び閉じるために、内側部３を折り返すことによって形成された外側部２の開口１６に、この舌状部１２を挿入することができ、これにより、突起１３と凹部１４が外側部２内に鉤合されて、形状ロックによる解除可能な接続に至る。
【００１３】
図２に示す閉じ具の端部１１を意図せずに誤って引張ってしまった場合、せいぜい設計破断線４の初めのいくつかのウェブ２６が破れるくらいで、基本的には、閉じ具はもとのままである。したがって、細長い内側部３に沿って設けられた複数個のウェブ２６の存在により、意図されない内側部３の持ち上げはほとんど不可能である。
【００１４】
図１および図３に示すように、袋に収めた商品の保証期限日などを表示する文字１７を、内側部３の外面側、すなわち、袋に面していない側に配置する。文字１７がこの位置にあれば、閉じ具が初期閉鎖状態にあるときも、また、反復閉鎖状態にあるときも、消費者が文字１７を認識できる。
【００１５】
図２に示す閉じ具の実施例においては、ストラップ１の内面側１８を、永久接続部２４の位置において外面側１９の上に載せている。こうすると、内側部３を持ち上げて外した後に、内側部３がその延長状態において舌状部１２を形成することになる。図２の変形例を図４及び図５に示す。これらの図を参照すると、内面側１８の２つの領域が、互いの上に載っていることがわかる。この構成では、、外側部２と内側部３をまったく簡単に溶着接合して永久接続部２４を形成できるという利点がある。図２の例では、外側部２が折り返えされると内側部３は伸展状態において舌状部１２となるが、これに対し、図４及び図５の変形例においては、内側部３を切り取った後、内側部３は開口１６の方に突出し、舌状部１２を形成するためには折り曲げなければならない。
【００１６】
図３の実施例においては、２つの突起１３と２つの凹部１４とが舌状部１２の基部に形成されている。これに加えてさらに２つの突起１３と２つの凹部１４とをもつ例を、図６に示す。図６は、舌状部１２の基部の各側に形成された、各々２つの突起１３と凹部１４を示し、ここで、一方の側における突起１３と凹部１４は、鋭いコーナー領域を有している。反対側における突起１３と凹部１４は、丸みづけられたコーナー領域をもつ別の例として示されている。これらの２つの例は、様々な大きさの袋を閉じることができるという利点がある。さらに、この設計の反復閉じ具は、図３の実施例と比較すると、より確実に閉鎖しロックすることができる。
【００１７】
図７は、図１と同様に、外側部２と内側部３を有するストラップ１を示し、これら２つの部分２及び３は、設計破断線４によりそれぞれ互いに対して定められ、分割されている。図１または図６とは異なり、突起および凹部は、内側部３に設けられている。図１に示された実施例とは異なり、凹部２７によって形成された設計折曲線又は部２０が外側部２に設けられている。やはり、外側部２から内側部３を持ち上げることにより図３の開口１６と同様な開口が形成され、この開口を介して、内側部３を外側部２に挿入して、これらの２つの部分２および３の間に解除可能な接続部を形成することができる。
【００１８】
図８に、図１の閉じ具の断面図を示す。この閉じ具は、その外側部２に長手方向に延在する突出リブ２１を有する。リブを持たない閉じ具に比べ、リブ２１を備えた閉じ具は、初期閉鎖状態において、あるいは、反復閉鎖状態において、袋によって変形されることが少ないという利点がある。そこで、この閉じ具は、良好に、完全に袋を閉鎖する。
【００１９】
図９は、図１と同様に、閉じるべき袋７に取り付ける前の状態の閉じ具のさらなる実施例を示す。図１の実施例とは異なり、ストラップ１は、対称軸２２に関し、長手方向に関して対称的に設計されている。図９に示すように、この対称横断軸２２の両側に、横スロット５としての設計折曲線と、２つの突起１３及び２つの凹部１４とが、同じようにしてストラップ１に形成されている。ストラップ１を袋に取り付けたとき、内側部３と外側部２は、図１を参照して説明した手順と同様に、互いに接続される。この接続は、接続領域９’と１０’あるいは９と１０において行なわれ、永久接続部２４を形成する。対称設計の閉じ具は、閉じ具の製造や取付けが、閉じ具のいずれかの側における特別の設計に左右されないで済むという利点がある。
【００２０】
図１０は、図１と同様に、袋７に取り付ける前の状態の閉じ具のさらなる実施例を示す。図１の実施例の閉じ具と比較すると、この閉じ具では、内側部３と外側部２の間の図４及び図５における永久接続部２４に相当する接続部が、機械的な形状ロック接続となっている。この接続は、内側部３の鉤状部２８を、スロット２５に挿入することで形成される。この鉤状部２８は、破断線４のウェブ２６を介して外側部２に接続しているものではない。閉じ具を再び開くと、内側部３は、設計破断線４に沿って、外側部２から切り取られて持ち上げられる。このとき、スロット２５内に係留されている鉤状部２８は外すのが困難であり、外れない。したがって、内側部３により、やはり、ストラップ１を延長させる舌状部１２が形成される。
【００２１】
いったん開けられた、前記の実施例による閉じ具を閉じるためには、外側部１２から内側部３を持ち上げることによって形成された、図３の開口１６と同様な開口に舌状部１２を挿入する必要がある。この設計の代わりに、その開口とは独立して、あるいは、その開口に組合せて、例えば、スロット２５に対応する形状のさらなる開口を外側部２に設け、この開口に舌状部１２を挿入して解除可能な接続を行なうようにすることも考えられる。
【００２２】
図１１に示すように、閉じ具の製造は、複数個の閉じ具を同時に製造することによって行なわれる。この製造は、押出し成形に続いて、打ち抜きやエンボス工程を行なうことにより、進められる。ここで、押出し動作は、閉じ具の長手方向軸に直交してあるいは平行に方向づけることができる。
【００２３】
図１２は、外側部２にさらにドーム状領域２３を備えた閉じ具の例を示す。これらのドーム状領域２３はラベルとして、また、ラベルすなわち各種の装飾や文字や記号の支持部として用いることができる。製造の後、ストラップ１の端部１５は相互連結されてストリップをなしており、対向して位置するストラップ１のドーム状領域２３が交互に配置されている。したがって、ストリップ間の空間を最大限に利用することができる。
【００２４】
以上、好ましい実施例を用いて本発明を説明したが、本発明はこれに限定されるものではないのは言うまでもなく、本発明の範囲を逸脱することなく種々の変形が可能である。
【００２５】
【発明の効果】
以上説明したように、本発明によれば、最初の開け方をよりよく理解することができ、再び閉じることが容易である、特に袋を閉鎖するための閉じ具を提供することができる。
【図面の簡単な説明】
【図１】本発明の第１の実施の形態による閉じ具を、袋に取り付ける前の状態において示した図である。
【図２】袋の周囲に取り付けて閉鎖した状態における、図１の閉じ具の上面図である。
【図３】開いた状態における、図１の閉じ具を示す図である。
【図４】袋の周囲に取り付けて閉鎖した状態の変形例を示す、図１の閉じ具の上面図である。
【図５】袋の周囲に取り付けて閉鎖した状態の別の変形例を示す、図１の閉じ具の上面図である。
【図６】本発明の第２の実施の形態による閉じ具を、開いた状態において示した図である。
【図７】本発明の第３の実施の形態による閉じ具を、袋に取り付ける前の状態において示した図である。
【図８】長手方向に延在するリブを示す、図１の線VIII-VIIIにおける閉じ具の断面図である。
【図９】本発明の第４の実施の形態による閉じ具を、袋に取り付ける前の状態において示した図である。
【図１０】本発明の第５の実施の形態による閉じ具を、袋に取り付ける前の状態において示した図である。
【図１１】押出成形工程による製造後の閉じ具を示す図である。
【図１２】押出成形による製造後の、突出部を有する閉じ具を示す図である。
【符号の説明】
１  帯状部材又はストラップ
２  外側部
３  内側部
４  設計破断線
５、６、２０  設計折曲線
７  袋
８  ループ
９、１０、９’、１０’  接続領域
１１、１５  端部
１２  舌状部
１３  突起
１４、２７  凹部
１６  開口
１７  文字
１８  内面側
１９  外面側
２１  リブ
２２  対称軸
２３  ドーム状領域
２４  永久接続部
２５  スロット
２６  ウェブ
２８  鉤状部
【図１】
0003949940.tif 000002
【図２】
0003949940.tif 000003
【図３】
0003949940.tif 000004
【図４】
0003949940.tif 000005
【図５】
0003949940.tif 000006
【図６】
0003949940.tif 000007
【図７】
0003949940.tif 000008
【図８】
0003949940.tif 000009
【図９】
0003949940.tif 000010
【図１０】
0003949940.tif 000011
【図１１】
0003949940.tif 000012
【図１２】
0003949940.tif 000013